(57)【特許請求の範囲】
【請求項１】
コンピュータを、
確定した文章と、当該確定した文章を作成する際の操作の履歴を、当該操作に関連する文を含めて記録された編集過程情報とを受け付ける受付手段と、
前記受付手段が受け付けた前記編集過程情報から予め定めた操作に該当する操作の履歴及び当該操作の履歴に関連する文を推敲範囲として抽出する推敲範囲抽出手段と、
前記確定した文章に含まれる文から第１の特徴量を、前記推敲範囲に含まれる文から第２の特徴量を抽出する文書特徴量抽出手段と、
前記第１の特徴量情報及び前記第２の特徴量に基づいて、文例と当該文例の特徴量情報とを関連付けて予め登録された文例情報から、前記文章に含まれる文に関連する文例を検索する文例情報検索手段として機能させるための文書作成支援プログラム。
【請求項２】
前記コンピュータを、
前記文例情報検索手段が検索した前記文例情報を条件に基づいて表示する文例表示手段としてさらに機能させるための請求項１に記載の文書作成支援プログラム。
【請求項３】
前記コンピュータを、
前記確定した文章に含まれる文及び前記推敲範囲に含まれる文を前記第１の特徴量及び前記第２の特徴量と関連付けて前記文例情報に追加して記録する文例情報記録手段としてさらに機能させるための請求項１又は２に記載の文書作成支援プログラム。
【請求項４】
確定した文章と、当該確定した文章を作成する際の操作の履歴を、当該操作に関連する文を含めて記録された編集過程情報とを受け付ける受付手段と、
前記受付手段が受け付けた前記編集過程情報から予め定めた操作に該当する操作の履歴及び当該操作の履歴に関連する文を推敲範囲として抽出する推敲範囲抽出手段と、
前記確定した文章に含まれる文から第１の特徴量を、前記推敲範囲に含まれる文から第２の特徴量を抽出する文書特徴量抽出手段と、
前記第１の特徴量情報及び前記第２の特徴量に基づいて、文例と当該文例の特徴量情報とを関連付けて予め登録された文例情報から、前記文章に含まれる文に関連する文例を検索する文例情報検索手段とを有する文書作成支援装置。
【発明の詳細な説明】
【技術分野】
【０００１】
本発明は、文書作成支援プログラム及び文書作成支援装置に関する。
【背景技術】
【０００２】
従来の文書作成支援装置として、利用者が作成した文章に類似する文を検索し、利用者に文例として提示して文書情報の作成を支援するものが知られている（例えば、特許文献１参照）。
【０００３】
特許文献１の文書作成支援装置は、文又は文の一部が文書情報中の位置情報とともに入力される入力部と、入力部に入力された文又は文の一部を解析して検索のための情報を抽出する抽出部と、抽出部が抽出した情報に基づいて文書情報蓄積部に蓄積されている類似文書を検索する検索部と、検索部が検索した類似文書中の文を文例として提示する提示部とを有し、利用者が作成した文章に類似する文書中の文を文例として利用者に提示することで文書情報の作成を支援する。
【先行技術文献】
【特許文献】
【０００４】
【特許文献１】特開２００３−３０８３１４号公報
【発明の概要】
【発明が解決しようとする課題】
【０００５】
本発明の目的は、確定した文章に基づいて文例を検索する場合に比べて、利用者の編集意図を反映した文例を検索することができる文書作成支援プログラム及び文書作成支援装置を提供することにある。
【課題を解決するための手段】
【０００６】
［１］コンピュータを、
確定した文章と、当該確定した文章を作成する際の操作の履歴を、当該操作に関連する文を含めて記録された編集過程情報とを受け付ける受付手段と、
前記受付手段が受け付けた前記編集過程情報から予め定めた操作に該当する操作の履歴及び当該操作の履歴に関連する文を推敲範囲として抽出する推敲範囲抽出手段と、
前記確定した文章に含まれる文から第１の特徴量を、前記推敲範囲に含まれる文から第２の特徴量を抽出する文書特徴量抽出手段と、
前記第１の特徴量情報及び前記第２の特徴量に基づいて、文例と当該文例の特徴量情報とを関連付けて予め登録された文例情報から、前記文章に含まれる文に関連する文例を検索する文例情報検索手段として機能させるための文書作成支援プログラム。
【０００７】
［２］前記コンピュータを、
前記文例情報検索手段が検索した前記文例情報を条件に基づいて表示する文例表示手段としてさらに機能させるための前記［１］に記載の文書作成支援プログラム。
【０００８】
［３］前記コンピュータを、
前記確定した文章に含まれる文及び前記推敲範囲に含まれる文を前記第１の特徴量及び前記第２の特徴量と関連付けて前記文例情報に追加して記録する文例情報記録手段としてさらに機能させるための前記［１］又は［２］に記載の文書作成支援プログラム。
【０００９】
［４］確定した文章と、当該確定した文章を作成する際の操作の履歴を、当該操作に関連する文を含めて記録された編集過程情報とを受け付ける受付手段と、
前記受付手段が受け付けた前記編集過程情報から予め定めた操作に該当する操作の履歴及び当該操作の履歴に関連する文を推敲範囲として抽出する推敲範囲抽出手段と、
前記確定した文章に含まれる文から第１の特徴量を、前記推敲範囲に含まれる文から第２の特徴量を抽出する文書特徴量抽出手段と、
前記第１の特徴量情報及び前記第２の特徴量に基づいて、文例と当該文例の特徴量情報とを関連付けて予め登録された文例情報から、前記文章に含まれる文に関連する文例を検索する文例情報検索手段とを有する文書作成支援装置。
【発明の効果】
【００１０】
請求項１又は４に係る発明によれば、確定した文章に基づいて文例を検索する場合に比べて、利用者の編集意図を反映した文例を検索することができる。
【００１１】
請求項２に係る発明によれば、利用者の編集意図を反映した文例の提示をすることができる。
【００１２】
請求項３に係る発明によれば、利用者の編集意図を反映した文例を記録することができる。
【図面の簡単な説明】
【００１３】
【図１】図１は、本発明の実施の形態に係る文書作成支援装置の構成例を示す概略ブロック図である。
【図２】図２は、文書情報の構成例を示す概略図である。
【図３】図３（ａ）は編集過程情報の構成例を示す概略図であり、図３（ｂ）は編集過程情報の変数の一覧の一例を示す概略図である。
【図４】図４（ａ）及び（ｂ）は、文書情報の確定文及び推敲範囲抽出手段１０３が抽出する推敲文の一例を示す概略図である。
【図５】図５（ａ）及び（ｂ）は、文書情報の確定文及び推敲範囲抽出手段１０３が抽出する推敲文の一例を示す概略図である。
【図６】図６（ａ）及び（ｂ）は、文書特徴量抽出手段が抽出する確定文の特徴量及び推敲文の特徴量である。
【図７】図７（ａ）及び（ｂ）は、文例表示手段が表示する文例の表示形態の一例を示す概略図である。
【図８】図８は、文書作成支援装置の動作の一例を示すフローチャートである。
【発明を実施するための形態】
【００１４】
（文書作成支援装置の構成）
図１は、本発明の実施の形態に係る文書作成支援装置の構成例を示す概略ブロック図である。
【００１５】
この文書作成支援装置１は、文書情報を作成するとともに、文書情報中の文章が確定するまでの編集過程を逐次記録し、文書情報の文章及びその編集過程に基づいて、過去に記録された文例を検索し、提示するものである。なお、以下において「確定」とは、文章に含まれる文の確定、文節の確定、単語の確定等を含むものとする。
【００１６】
また、文書作成支援装置１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体から構成され情報を記憶する記憶部１１と、キーボードやマウス等から構成され後述する文書作成手段１００を操作するための操作信号を入力する入力部１２と、ＬＣＤ（Ｌｉｑｕｉｄ  Ｃｒｙｓｔａｌ  Ｄｉｓｐｌａｙ）等から構成され画像及び文字を表示する表示部１３と、外部と通信する通信部１４とを有する。
【００１７】
なお、文書作成支援装置１は、例えば、コンピュータであり、ＰＤＡ（Ｐｅｒｓｏｎａｌ  Ｄｉｇｉｔａｌ  Ａｓｓｉｓｔａｎｔ）又は携帯電話機等でもよい。また、さらに、外部端末の表示部、入力部を用いることで、入力部１２、表示部１３を省略し、サーバとして構成してもよい。
【００１８】
制御部１０は、後述する文書作成プログラム１１０を実行することで文書作成手段１００として機能し、文書作成支援プログラム１１１を実行することで、編集過程記録手段１０２、受付手段１０１、推敲範囲抽出手段１０３、文書特徴量抽出手段１０４、文例情報記録手段１０５、文例情報検索手段１０６及び文例表示手段１０７等として機能する。
【００１９】
文書作成手段１００は、入力部１２から入力される操作信号に基づいて文書情報１１２を作成する。
【００２０】
編集過程記録手段１０２は、文書作成手段１００が文書情報１１２を作成する際に、文書情報１１２中の文章が確定するまでの操作の履歴を、当該操作に関連する文を含めて編集過程情報１１３として記憶部１１に記録する。
【００２１】
受付手段１０１は、文書作成手段１００において作成中の文書情報１１２及び当該文書情報１１２の編集過程情報１１３を編集過程記録手段１０２から受け付ける。また、受付手段１０１は、外部の文書作成手段により作成された文書情報及び当該文書情報の編集過程情報を受け付けてもよい。
【００２２】
推敲範囲抽出手段１０３は、編集過程記録手段１０２が記録した編集過程情報１１３から予め定めた操作に該当する操作の履歴及び当該操作の履歴に関連する文を推敲範囲として抽出する。
【００２３】
文書特徴量抽出手段１０４は、文書情報１１２中の確定した文章及び推敲範囲抽出手段１０３が抽出した推敲範囲に含まれる文（推敲文、後述）の特徴量を抽出する。
【００２４】
文例情報記録手段１０５は、文書情報１１２中の確定した文章を、文書特徴量抽出手段１０４が抽出した特徴量とともに文例情報１１４として記録する。
【００２５】
文例情報検索手段１０６は、文書情報１１２中の確定した文章及び推敲範囲に含まれる文の特徴量情報に基づいて、確定した文章に関連する文例を文例情報１１４から検索する。
【００２６】
文例表示手段１０７は、文例情報検索手段１０６が検索した文例を条件に基づいて並び替える等して表示部１３に表示する。
【００２７】
記憶部１１は、制御部１０を上述した文書作成手段１００として動作させるワープロソフト等の文書作成プログラム１１０、上述した各手段１０１〜１０７として動作させる文書作成支援プログラム１１１、文書作成手段１００が作成する文章の集合である文書情報１１２、文書情報１１２の文章が確定するまでの操作の履歴と当該操作に関連した文とを含む編集過程情報１１３及び文例情報記録手段１０５が記録する文例情報１１４等を記憶する。
【００２８】
図２は、文書情報の構成例を示す概略図である。
【００２９】
文書情報１１２は、複数の文を含む文章がテキストデータ等で記述された情報である。文書の作成は、テキストの入力、修正、削除やコピー、カット、ペースト、また、ＵＮＤＯ、ＲＥＤＯ等の操作を経て行われる。これらの作成時の操作は、以下に説明する編集過程情報１１３として記録される。
【００３０】
図３（ａ）は編集過程情報の構成例を示す概略図であり、図３（ｂ）は編集過程情報の変数の一覧の一例を示す概略図である。
【００３１】
図３（ａ）に示す編集過程情報１１３は、操作履歴の操作を図３（ｂ）に示す変数で記述したものである。なお、本実施の形態において必要となる操作は、操作日時である「ｄａｔｅ」、入力、修正、削除等、コピー、カット、ペーストの操作内容である「ａｃｔ」、ＵＮＤＯ、ＲＥＤＯ等の編集内容である「ｃｔｒｌ」、同一文書内でのコピー（カット）とペーストのリンクである「ｌｉｎｋ」であり、さらに他の変数を追加してもよい。
【００３２】
なお、編集過程は、単語や形態素ごとに記録してもよいし、ＩＭＥ等の文字入力手段によって確定した範囲ごとに記録してもよい。また、同一文書内でのコピー（カット）とペーストのリンクは、例えば、コピー（カット）コマンドとそれを実行した環境を記録し、ペーストコマンドが実行されたとき、コピー内容とコピー（カット）コマンドが実行された環境がペースト内容とその実行環境とで一致するかを調べることで作成される。
【００３３】
また、編集過程情報１１３は、通常、内部保持する情報であり、利用者に表示するものではない。しかし、利用者が編集記録を見たい場合は、オプション項目等として切り替えて、編集過程情報１１３を表示部１３に表示しても良い。
【００３４】
（文書作成支援装置の動作）
以下に、文書作成支援装置１の動作を図１〜８を参照しつつ、（１）基本動作、（２）文書情報解析動作、（３）文例検索・提示動作に分けて説明する。
【００３５】
（１）基本動作
図８は、文書作成支援装置の動作の一例を示すフローチャートである。
【００３６】
まず、文書作成手段１００は、入力部１２から入力される操作信号に基づいて文書情報１１２を作成する（Ｓ１）。
【００３７】
また、編集過程記録手段１０２は、文書作成手段１００が文書情報１１２を作成する際に、文書情報１１２中の文章が確定するまでの操作履歴を、当該操作に関連する文を含めて図３に示す編集過程情報１１３として記憶部１１に記録する（Ｓ２）。
【００３８】
（２）文書情報解析動作
【００３９】
次に、受付手段１０１は、文書作成手段１００において作成中の文書情報１１２及び当該文書情報１１２の編集過程情報１１３を編集過程記録手段１０２から受け付ける。
【００４０】
次に、推敲範囲抽出手段１０３は、編集過程記録手段１０２が記録した編集過程情報１１３から予め定めた操作に該当する操作の履歴及び当該操作の履歴に関連する文を推敲範囲として抽出する（Ｓ３）。
【００４１】
なお、推敲範囲抽出手段１０３は、例えば、上記予め定めた操作として以下の条件を用いる。
・単一の文、複数の文、又は段落で、何度も書き消ししている
つまり、推敲範囲抽出手段１０３は、編集過程記録手段１０２で記録した編集記録のうち、単一の文、複数の文、又は段落で、「ａｃｔ＝”ｗｒｉｔｅ”」と「ａｃｔ＝”ｄｅｌｅｔｅ”」が多く現れている場所を抽出する。ただし、最終的に「ａｃｔ＝”ｄｅｌｅｔｅ”」により当該領域（単一の文、複数の文、または段落）が消去されていた場合は、不要な領域であるとして抽出しない。
【００４２】
また、推敲範囲抽出手段１０３は、上記以外に以下の条件で推敲範囲を抽出する。
・単一の文、複数の文、又は段落で、多くの改行がある
・コピー（カット）とペーストにより、句、節、単一の文、複数の文、又は段落を多く複製している
・単語や短い文が、箇条書きのように羅列されている
・文書作成作業が、一定時間以上行われていない
・「ＴＯＤＯ」「ＦＩＸＭＥ」「※要修正」など、特定の単語が現れる
・「あとで書く」「〜について書く」など、突然くだけた表現が現れる
【００４３】
また、推敲範囲抽出手段１０３は、利用者の指定に基づき推敲範囲を抽出してもよい。
【００４４】
図４（ａ）及び（ｂ）は、文書情報１１２の確定文及び推敲範囲抽出手段１０３が抽出する推敲文の一例を示す概略図である。
【００４５】
まず、推敲範囲抽出手段１０３は、図４（ｂ）に示すように、推敲範囲から推敲文１１３ａ〜１１３ｍを抽出する（Ｓ４）。推敲文は、下記の処理手順により推敲範囲内から抽出する。
１．推敲範囲の編集記録のうち、「ｒｅｖ」の管理番号昇順に参照する
２．「ｌｉｎｋ」がある場合、同じ「ｌｉｎｋ」番号を持つ参照中の「ｒｅｖ」より若い編集記録とその周辺の一連の編集記録も推敲範囲の解析対象とする
３．「ｄａｔｅ」をチェックし、一連の作業で編集された箇所をクラスタリングする
４．参照中の「ｒｅｖ」以前に「ａｃｔ＝”ｄｅｌｅｔｅ”」していない部分と、参照中の「ｒｅｖ」の部分とを１つの推敲文として抽出する
５．このとき、後段の処理で変更部分（参照中の「ｒｅｖ」の部分）に注目するため、変更部分にタグやマークを入れる（以降では、説明のため［太字］で表す）
なお、太字の空の括弧（［］）は削除のみの編集記録を表している。
【００４６】
また、推敲範囲抽出手段１０３は、文書情報１１２の文章を、図４（ａ）に示すように確定文１１２ａ及び１１２ｂとして扱う。
【００４７】
図５（ａ）及び（ｂ）は、文書情報１１２の確定文及び推敲範囲抽出手段１０３が抽出する推敲文の一例を示す概略図である。
【００４８】
次に、推敲範囲抽出手段１０３は、図４（ｂ）に示す推敲文１１３ａ〜１１３ｍの太字の領域が自然文らしいかをチェックし、例えば、利用者がやけになってランダムなタイピングをした場合や、タイプミスなど、文書作成におけるノイズを除去し、また、確定文１１２ａ及び１１２ｂと同じ「ｒｅｖ」の管理番号のみで構成される推敲文を、確定文１１２ａ及び１１２ｂと内容が重複するため削除する。上記動作により、推敲範囲抽出手段１０３は、図５（ｂ）に示す推敲文１０３ａ〜１０３ｉを抽出する。
【００４９】
図６（ａ）及び（ｂ）は、文書特徴量抽出手段１０４が抽出する確定文の特徴量及び推敲文の特徴量である。
【００５０】
次に、文書特徴量抽出手段１０４は、確定文１１２ａ及び１１２ｂ並びに推敲文１０３ａ〜１０３ｉの特徴量を抽出する（Ｓ５）。
【００５１】
抽出される特徴量の一例として、確定文１１２ａから図６（ａ）に示す特徴量が、推敲文１０３ｃから図６（ｂ）に示す特徴量が抽出される。
【００５２】
文書特徴量抽出手段１０４が抽出する特徴量は、
・形態素情報
・品詞情報
・構文・意味情報
・Ｔｆ−ｉｄｆ値
・Ｎ−ｇｒａｍ
・単一の文、複数の文、又は段落の特徴ベクトル
等であり、一般的な検索で用いられる特徴量であれば他のものであってもよい。
【００５３】
なお、文例情報記録手段１０５は、確定文１１２ａ及び１１２ｂ並びに推敲文１０３ａ〜１０３ｉを、文書特徴量抽出手段１０４が抽出した特徴量とともに文例情報１１４として記録する。これらの文例情報１１４は、次回の文例検索の際に用いられる。
【００５４】
（３）文例検索・提示動作
次に、文例情報検索手段１０６は、確定文１１２ａ及び１１２ｂ並びに推敲文１０３ａ〜１０３ｉの特徴量に基づいて、関連する文例を文例情報１１４から検索する。
【００５５】
まず、文例情報検索手段１０６は、検索キーワードの選択をする（Ｓ６）。文例情報検索手段１０６は、検索キーワードとして、上記した形態素情報、品詞情報、構文・意味情報、Ｔｆ−ｉｄｆ値、Ｎ−ｇｒａｍ、単一の文、複数の文、又は段落の特徴ベクトル等の特徴量のいずれか、又はこれらの組み合わせを用いる。
【００５６】
次に、文例情報検索手段１０６は、以下のいずれかの文又は組み合わせを対象として文例検索を行う。つまり、
・各確定文１１２ａ及び１１２ｂに類似した文例を検索する
・各推敲文１０３ａ〜１０３ｉに類似した文例を検索する
・すべての確定文１１２ａ及び１１２ｂの特徴量を統合して、類似した文例を検索する
・すべての推敲文１０３ａ〜１０３ｉの特徴量を統合して、類似した文例を検索する
・すべての確定文１１２ａ及び１１２ｂと推敲文１０３ａ〜１０３ｉの特徴量を統合して、類似した文例を検索する
・各推敲文１０３ａ〜１０３ｉに類似した推敲文を持つ文例を検索する
・すべての推敲文１０３ａ〜１０３ｉの特徴量を統合して、類似した推敲文を持つ文例を検索する
【００５７】
このとき、推敲文の特徴量の過度の重複を避けるため、以下の条件により推敲文の特徴量を制限してもよい。
・変更部分（［太字］）に関連する特徴量のみ用いる（ｅ．ｇ．特徴量に係り受けを用いる場合、図６（ｂ）の斜線領域のみを特徴量として用いる）
・削除のみの変更（［］）の場合、削除前と変更がある特徴量を用いる（ｅ．ｇ．図５（ｂ）の推敲文１０３ｅに関して、特徴量に係り受けを用いる場合、推敲文１０３ｄの係り受け関係と変更がある部分を特徴量として用いる）
【００５８】
具体的に、文例情報検索手段１０６は、図５（ａ）及び（ｂ）に示す確定文１１２ａ及び１１２ｂ並びに推敲文１０３ａ〜１０３ｉを、
（ア） 確定文１１２ａ、推敲文１０３ｉ
（イ） 確定文１１２ｂ、推敲文１０３ｊ
（ウ） 推敲文１０３ａ、推敲文１０３ｂ、推敲文１０３ｃ
（エ） 推敲文１０３ｄ、推敲文１０３ｅ、推敲文１０３ｆ、推敲文１０３ｇ
（オ） 推敲文１０３ｈ
の５つのグループに分けて、それぞれのグループの特徴量に類似した文例を検索する（Ｓ７）。また、文例情報検索手段１０６は、それぞれのグループの特徴量に類似した推敲文を持つ文例を検索してもよい。
【００５９】
なお、文例情報検索手段１０６の文例検索のタイミングは、以下のいずれか、又は組み合わせにより行う。
・利用者の指示により、文例検索を実行
・現在の編集地点の周辺の推敲範囲を抽出して、文例検索を実行
・現在の編集地点以外に推敲範囲が存在するとき、その領域の文例検索を実行
・文書作成作業が一定時間以上行われないとき、文例検索を実行
・「ＴＯＤＯ」「ＦＩＸＭＥ」「※要修正」など特定の単語が現れたとき、その周辺の推敲範囲を抽出して、文例検索を実行
・「あとで書く」「〜について書く」など、突然くだけた表現が現れたとき、その周辺の推敲範囲を抽出して、文例検索を実行
【００６０】
図７（ａ）及び（ｂ）は、文例表示手段１０７が表示する文例の表示形態の一例を示す概略図である。
【００６１】
次に、文例表示手段１０７は、図７（ａ）に示すように、文書情報１１２が表示されている上にポップアップ等して、文例情報検索手段１０６が検索した文例を文例表示１０７ａとして表示部１３に表示する（Ｓ８）。
【００６２】
また、文例表示手段１０７は、図７（ｂ）に示すように、文例表示１０７ｂを現在編集中の文書情報１１２のテキスト中に埋め込む形で示してもよい。
【００６３】
なお、文例表示１０７ａ及び１０７ｂは、条件に基づいて並び替える等してもよく、文例の表示順は、
・文例として登録された順番
・検索キーワードとの一致度
・文例の使用された回数
等の一般的な検索で用いられる手法を利用してもよい。また、本実施の形態においては、
・検索に用いた推敲文１０３ａ〜１０３ｉの特徴量と、文例の推敲文の特徴量との一致度を文例の表示順に加味してもよい。
【００６４】
次に、利用者は、図７（ａ）又は（ｂ）の文例表示１０７ａ又は１０７ｂに表示された文例から所望の文を選択する（Ｓ９）。文の選択は、図７（ａ）に示す例の場合はマウス等によって選択し、コピー（カット）して適当な位置にペーストしてもよいし、図７（ｂ）に示す例の場合はタグを消して使用してもよい。
【００６５】
なお、文例情報記録手段１０５は、上記文例表示１０７ａ又は１０７ｂにおいて選択された文例について、文例情報１１４に当該選択された文例の使用された回数を更新する（Ｓ１０）。
【００６６】
（実施の形態の効果）
上記した実施の形態によれば、文書情報１１２中の確定文だけでなく、編集過程情報１１３中の文から推敲文を抽出し、確定文及び推敲文から特徴量を抽出して、確定文及び推敲文の特徴量に基づいて文例を検索したため、確定文のみに基づいて文例を検索する場合に比べて、利用者の編集意図を反映した文例の検索及び提示をすることができる。
【００６７】
また、文例情報１１４として、確定文及び推敲文並びにこれらの特徴量を記録したため、利用者の編集意図を反映した文例の記録をすることができる。
【００６８】
［他の実施の形態］
なお、本発明は、上記実施の形態に限定されず、本発明の要旨を逸脱しない範囲で種々な変形が可能である。例えば、書き漏れ抽出手段をさらに設けて、書き漏れの抽出を行ってもよい。ここでいう書き漏れとは、
・編集記録に存在する、「ａｃｔ＝”ｄｅｌｅｔｅ”」となった文、又は単語であり
・作成文書に類似した内容の文、又は単語が存在しない
・文、又は単語の情報量が大きい（文に含まれる単語のＴｆ−ｉｄｆ値等）
等の条件を満たす文のことをいう。
【００６９】
さらに、書き漏れ表示手段を設けて、上記の書き漏れ抽出手段が抽出した書き漏れを表示する。表示方法は、図７（ａ）及び（ｂ）に示す文例表示１０７ａ及び１０７ｂと類似した方法を用いることができる。つまり、書き漏れ表示手段は、書き漏れ抽出手段が抽出した編集過程情報１１３の場所、又は文書情報１１２に含まれる文の文末に書き漏れを表示する。
【００７０】
また、文例情報１１４に利用者の識別情報を関連付けて記録してもよい。文書作成完了のフラグとして、
・利用者の操作
・文書の保存実行
・文書作成のエディタの終了
などをトリガーとして、記憶部１１に個人文例情報を用意し、作成した文書を登録する。
【００７１】
また、上記文書作成支援プログラム１１１をＣＤ−ＲＯＭ等の記憶媒体に格納して提供することも可能であり、インターネット等のネットワークに接続されているサーバ装置等から装置内の記憶部にダウンロードしてもよい。また、文書作成手段１００、編集過程記録手段１０２、受付手段１０１、推敲範囲抽出手段１０３、文書特徴量抽出手段１０４、文例情報記録手段１０５、文例情報検索手段１０６及び文例表示手段１０７等の一部又は全部をＡＳＩＣ等のハードウェアによって実現してもよい。なお、上記実施の形態の動作説明で示した各ステップは、順序の変更、ステップの省略、追加が可能である。
【符号の説明】
【００７２】
１     文書作成支援装置
１０   制御部
１１   記憶部
１２   入力部
１３   表示部
１４   通信部
１００ 文書作成手段
１０１ 受付手段
１０２ 編集過程記録手段
１０３ 推敲範囲抽出手段
１０４ 文書特徴量抽出手段
１０５ 文例情報記録手段
１０６ 文例情報検索手段
１０７ 文例表示手段
１１０ 文書作成プログラム
１１１ 文書作成支援プログラム
１１２ 文書情報
１１３ 編集過程情報
１１４ 文例情報
【図１】
0005880152.tif 000002
【図２】
0005880152.tif 000003
【図３】
0005880152.tif 000004
【図４】
0005880152.tif 000005
【図５】
0005880152.tif 000006
【図６】
0005880152.tif 000007
【図７】
0005880152.tif 000008
【図８】
0005880152.tif 000009